(57)【特許請求の範囲】
【請求項１】
画像データを記録媒体の第１の記録領域に記録すると共に、上記画像データを特定するための特定情報を記録媒体の第２の記録領域に記録する記録処理手段と、
上記第１及び第２の記録領域を再生する再生処理手段と、
上記再生処理手段によって再生された特定情報を電子透かし情報に変換する変換手段と、
上記再生処理手段によって再生された再生画像データに上記電子透かし情報を埋め込む多重化手段と、
上記多重化手段によって上記電子透かし情報が埋め込まれた再生画像データ、又は上記電子透かし情報が埋め込まれていない再生画像データを、ユーザの操作に応じて選択的に出力する選択手段とを備えたことを特徴とする画像記録再生装置。
【請求項２】
ユーザの選択に応じて異なる種類の特定情報を発生する発生手段をさらに備え、
上記記録処理手段は上記発生手段により発生された特定情報を記録することを特徴とする請求項１記載の画像記録再生装置。
【請求項３】
上記第１の記録領域は第１の記録媒体に設けられ、上記第２の記録領域は上記第１の記録媒体とは別の第２の記録媒体に設けられていることを特徴とする請求項１記載の画像記録再生装置。
【請求項４】
上記再生処理手段は、上記第１の記録領域に圧縮された状態で記録された圧縮画像データを再生し、
上記多重化手段は、上記再生処理手段によって再生された圧縮画像データに上記電子透かし情報を埋め込むことを特徴とする請求項１乃至３のいずれか１項に記載の画像記録再生装置。
【請求項５】
圧縮画像データを伸張処理する伸張手段をさらに備え、
上記再生処理手段は、上記第１の記録領域に圧縮された状態で記録された圧縮画像データを再生し、
上記伸張手段は、上記再生処理手段によって再生された圧縮画像データを伸張処理し、
上記多重化手段は、上記伸張手段によって伸張された画像データに上記電子透かし情報を埋め込むことを特徴とする請求項１乃至３のいずれか１項に記載の画像記録再生装置。
【請求項６】
画像データを記録媒体の第１の記録領域に記録すると共に、上記画像データを特定するための特定情報を記録媒体の第２の記録領域に記録する記録処理手順と、
上記第１及び第２の記録領域を再生する再生処理手順と、
上記再生処理手順によって再生された特定情報を電子透かし情報に変換する変換手順と、
上記再生処理手順によって再生された再生画像データに上記電子透かし情報を埋め込む多重化手順と、
上記多重化手順によって上記電子透かし情報が埋め込まれた再生画像データ、又は上記電子透かし情報が埋め込まれていない再生画像データを、ユーザの操作に応じて選択的に出力する選択手順とを有することを特徴とする画像記録再生方法。
【請求項７】
ユーザの選択に応じて異なる種類の特定情報を発生する発生手順をさらに有し、
上記記録処理手順では上記発生手順により発生された特定情報を記録することを特徴とする請求項６記載の画像記録再生方法。
【請求項８】
上記第１の記録領域は第１の記録媒体に設けられ、上記第２の記録領域は上記第１の記録媒体とは別の第２の記録媒体に設けられていることを特徴とする請求項６記載の画像記録再生方法。
【請求項９】
上記再生処理手順では、上記第１の記録領域に圧縮された状態で記録された圧縮画像データを再生し、
上記多重化手順では、上記再生処理手順によって再生された圧縮画像データに上記電子透かし情報を埋め込むことを特徴とする請求項６乃至８のいずれか１項に記載の画像記録再生方法。
【請求項１０】
圧縮画像データを伸張処理する伸張手順をさらに有し、
上記再生処理手順では、上記第１の記録領域に圧縮された状態で記録された圧縮画像データを再生し、
上記伸張手順では、上記再生処理手順によって再生された圧縮画像データを伸張処理し、
上記多重化手順では、上記伸張手順によって伸張された画像データに上記電子透かし情報を埋め込むことを特徴とする請求項６乃至８のいずれか１項に記載の画像記録再生方法。
【請求項１１】
画像データを記録媒体の第１の記録領域に記録すると共に、上記画像データを特定するための特定情報を記録媒体の第２の記録領域に記録する記録処理手順と、
上記第１及び第２の記録領域を再生する再生処理手順と、
上記再生処理手順によって再生された特定情報を電子透かし情報に変換する変換手順と、
上記再生処理手順によって再生された再生画像データに上記電子透かし情報を埋め込む多重化手順と、
上記多重化手順によって上記電子透かし情報が埋め込まれた再生画像データ、又は上記電子透かし情報が埋め込まれていない再生画像データを、ユーザの操作に応じて選択的に出力する選択手順とをコンピュータに実行させるためのプログラムを記憶したコンピュータ読み取り可能な記憶媒体。
【発明の詳細な説明】
【０００１】
【発明の属する技術分野】
本発明は、例えば、電子透かし情報と画像データを記録や再生するのに用いて好適な画像記録再生装置、方法、及びそれを実施するための処理ステップをコンピュータ読取可能に格納した記憶媒体に関するものである。
【０００２】
【従来の技術】
現在、インターネットを利用した画像等各種データの配信技術が急速な発展を示し、広まりつつある。また、デジタル衛星放送の開始や、ＤＶＤ等のデジタルＡＶ機器等の普及により、映像や音楽のデジタル化が進み、ユーザの手元に届くソフトもディジタルデータのものが大勢を占めるようになっている。
このようなディジタルデータの画像や音楽ソフト、著作物は、パーソナルコンピュータ（以下、単に「パソコン」と言う）を使えば、手軽に複製や編集ができてしまう。さらに、不正に複製したデータをインターネットを介する等して、不特定多数に対して配信することも可能になってしまう。このように、ディジタルデータの著作物（以下、「ディジタル著作物」と言う）等の普及は、著作権侵害や不正コピーの観点から新たな問題を生じさせている。
【０００３】
従来では、ディジタル著作物等の不正コピー防止技術、またはネットワークでのセキュリティー技術として、データの暗号化やスクランブル技術などと、課金制度などを併用して用いることにより、上記の問題を解決してきた。また、その他の解決方法として、映画ソフトなどに対しては、マクロビジョン方式や、コピーの世代情報を基にするＣＧＭＳ方式等を用いることで不正コピー防止を行っている。
しかしながら、これらの著作物保護技術は、どれも一長一短があり、完璧な保護技術は存在していなかったのが実情である。
【０００４】
そこで、不正コピー防止、あるいは抑える技術として、電子透かし技術が考えられ始められた。この電子透かし技術は、ディジタル著作物等に対して、ＩＤ情報や製作者の意図した情報を、肉眼で目視確認しにくい電子透かし情報として埋め込み（挿入）、隠し持たせる技術である。
具体的には例えば、データの冗長部分などに、電子透かし情報を雑音として埋め込むことで、電子透かし効果を実現している。また、データの冗長部分の他、主要成分にも電子透かし情報を埋め込むことで、より一層、電子透かし効果を上げることが可能になる。
このような電子透かし技術を画像データに利用すると、該画像データにデータ圧縮やフィルタ処理を施しても、埋め込んだ電子透かし情報が完全に取り去られることはなく、また、画像処理やコピーを繰り返して行っても、電子透かし情報を保ち続けることができる。これによって、不正コピーを抑制することができるようになる。
【０００５】
【発明が解決しようとする課題】
しかしながら、上述したような従来の電子透かし技術は、例えば、画像データにおいて使用する場合、画像データの冗長部分及び主要成分などに適宜電子透かし情報が雑音として埋め込まれるため、該画像データについては、電子透かし情報を埋め込まない画像データ比べて、画質の劣化は防ぎようがない。
また、画質の劣化を極力防ぐために、電子透かし情報を弱めに埋め込もうとすると、今度はフィルタ処理などによって、電子透かし情報が消去されてしまう恐れがある。
また、特に、マスター画像データの記録と同時に、該画像データに電子透かし情報を埋め込む場合には、電子透かし情報のみの切り離しはできないため、質の悪い画像データを記録してしまうことになる。
【０００６】
そこで、本発明は、上記の欠点を除去するために成されたもので、記録対象の画像自体を画質劣化のない良好な状態で保持し、使用者の目的に応じて該画像に電子透かし情報を挿入することを可能とすることを目的とする。
また、本発明は、使用者が記録した画像に対して電子透かし情報を挿入する際、使用者が希望する時に電子透かし情報を挿入した画像を出力し、記録対象の画像自体を画質劣化のない原画像のまま保持しておくことを可能とすることを他の目的とする。
また、本発明は、より簡単な構成で、電子透かし情報を挿入するための処理実行を可能とすることを他の目的とする。
また、本発明は、新規の電子透かし技術を提供することを他の目的とする。
【０００７】
【課題を解決するための手段】
本発明による画像記録再生装置においては、画像データを記録媒体の第１の記録領域に記録すると共に、上記画像データを特定するための特定情報を記録媒体の第２の記録領域に記録する記録処理手段と、上記第１及び第２の記録領域を再生する再生処理手段と、上記再生処理手段によって再生された特定情報を電子透かし情報に変換する変換手段と、上記再生処理手段によって再生された再生画像データに上記電子透かし情報を埋め込む多重化手段と、上記多重化手段によって上記電子透かし情報が埋め込まれた再生画像データ、又は上記電子透かし情報が埋め込まれていない再生画像データを、ユーザの操作に応じて選択的に出力する選択手段とを設けている。
【０００８】
本発明による画像記録再生方法においては、画像データを記録媒体の第１の記録領域に記録すると共に、上記画像データを特定するための特定情報を記録媒体の第２の記録領域に記録する記録処理手順と、上記第１及び第２の記録領域を再生する再生処理手順と、上記再生処理手順によって再生された特定情報を電子透かし情報に変換する変換手順と、上記再生処理手順によって再生された再生画像データに上記電子透かし情報を埋め込む多重化手順と、上記多重化手順によって上記電子透かし情報が埋め込まれた再生画像データ、又は上記電子透かし情報が埋め込まれていない再生画像データを、ユーザの操作に応じて選択的に出力する選択手順とを有している。
【０００９】
本発明による記憶媒体においては、画像データを記録媒体の第１の記録領域に記録すると共に、上記画像データを特定するための特定情報を記録媒体の第２の記録領域に記録する記録処理手順と、上記第１及び第２の記録領域を再生する再生処理手順と、上記再生処理手順によって再生された特定情報を電子透かし情報に変換する変換手順と、上記再生処理手順によって再生された再生画像データに上記電子透かし情報を埋め込む多重化手順と、上記多重化手順によって上記電子透かし情報が埋め込まれた再生画像データ、又は上記電子透かし情報が埋め込まれていない再生画像データを、ユーザの操作に応じて選択的に出力する選択手順とをコンピュータに実行させるためのプログラムを記憶している。
【００１０】
【発明の実施の形態】
＜第１の実施の形態＞
図１は、本発明の実施の形態によるディジタル画像記録再生装置の構成を示したブロック図である。
”１”は、レンズやＣＣＤ等から構成される画像撮像系である。
”２”は、カメラ信号処理回路であり、画像撮像系１にて得られる信号に対して所定の処理を行うことで、該信号を圧縮可能な形態の信号に変換する。
”３”は、画像圧縮回路であり、例えば、ディジタルビデオでの圧縮方式である所謂ＤＶ圧縮方式の圧縮回路からなる。
”４”は記録処理回路、”５”は記録ヘッド、”６”は磁気テープ、”７”は電子透かしとして埋め込まれる情報用のＩＤ発生回路、”８”はシステムコントローラ、”９”は使用者からの各種指示入力が行われる操作部、”１０”は再生ヘッド、”１１”は再生処理回路、”１２”は画像伸張回路、”１３”は圧縮回路ならびに電子透かし情報をビデオデータに多重する多重部である。
”１４”は、例えば、詳細は後述する「ＩＥＥＥ１３９４」方式に対応したディジタルインターフェイス（ＤＩＦ）である。
”１５”は外部装置との接続用ケーブル端子、”１６”はＩＤ発生回路７から出力されるＩＤデータを電子透かし情報に変換するデータ変換回路、”１７ａ，１７ｂ，１７ｃ”は連動式スイッチである。
【００１１】
そこで、まず、上述のような本装置の一連の動作について説明する。
【００１２】
（記録時の動作）：
先ず、画像撮像系１では、撮像すべき画像の撮像処理が行われる。
画像撮像系１での撮像処理にて得られた画像信号は、カメラ信号処理回路２により、ディジタル化処理が行われ、且つ輝度や色の調整処理等（以下、これらの処理をまとめて「カメラ信号処理」と言う）が行われる。
カメラ信号処理回路２にてカメラ信号処理されて得られた画像データは、画像圧縮回路３により、所定の圧縮方式のアルゴリズムに基づいて、画像データの圧縮符号化処理が行われる。ここでは、家庭用ディジタルビデオでの帯域圧縮方式として採用されている、ＤＣＴとＶＬＣを用いた方式（ＤＶ圧縮方式）により、帯域圧縮するものとする。
画像圧縮回路３により圧縮された画像データ（圧縮画像データ）は、記録処理回路４により記録に適した形への変換がなされた後、記録用ヘッド５から磁気テープ６の所定領域に記録される。
【００１３】
このとき、圧縮画像データを記録しているときの時間情報や、または加えてユーザが電子透かし情報として希望する内容の情報、著作物を示すための情報などを基にした情報であって、記録している圧縮画像データに対応して、時間的または空間的に所望の画像の位置に対応させた電子透かし情報用のＩＤデータを、適宜ＩＤ発生回路７で発生させる。このＩＤデータは、出力時、画像データに埋め込む電子透かし情報源（特定情報）として用いられる。
ＩＤ発生回路７にて発生されたＩＤデータは、記録処理回路４により、記録に適した形への変換処理がなされ、磁気ヘッド５から磁気テープ６の所定領域に記録される。磁気テープ６では、圧縮画像データとＩＤデータがそれぞれ別領域に記録されるようになされている。
このようなこのＩＤデータの発生および、記録は、圧縮画像データの記録動作と併行して行われている。また、記録処理回路４及び記録ヘッド５では、圧縮画像データとＩＤデータとを適宜分配して、磁気テープ６上に所定の領域に分けて記録するように調整されている。
【００１４】
（再生時の動作）：
先ず、磁気テープ６に記録されている画像データ及びＩＤデータを再生ヘッド１０により再生する。この再生された画像データ及びＩＤデータは、再生処理回路１１により、記録に適した状態から通常形態へのデータ変換処理、及び画像データとＩＤデータの分配処理（以下、これらの処理をまとめて「再生処理」と言う）が行われる。
【００１５】
ここで、３つのスイッチ１７ａ，１７ｂ，１７ｃの動作について説明すると、全スイッチは連動して動作するものであり、ユーザの意図に応じて外部出力の際、画像データに電子透かし情報を多重するときと、電子透かし情報を多重しないで画像データのみを出力するときとで、全スイッチの一括切り換えが行われるようになされている。
【００１６】
そこで、電子透かし情報を画像データに多重しないようにスイッチ制御されている場合、再生処理回路１１での再生処理によって得られた画像データは、スイッチ１７ｂからスイッチ１７ｃへと移り、そのままＤＩＦ１４から外部装置に対して出力される。
【００１７】
一方、電子透かし情報を多重するようにスイッチが制御されている場合、上記画像データは、画像伸張回路１２側に接続されたスイッチ１７ｂを経て、画像伸張回路１２により、上述したＤＶ圧縮方式に従って圧縮された上記画像データの全部または一部が伸張される。
また、この場合、再生処理回路１１での再生処理によって得られたＩＤデータは、ＩＤ／透かし情報変換回路１６により、ＩＤデータを電子透かし情報として画像データに多重するのに適した形態へと、変換処理がなされる。この変換処理によってＩＤデータから変換された電子透かし情報は、スイッチ１７ａを経て、圧縮及び透かし多重化部１３へ至る。
【００１８】
圧縮及び透かし多重化部１３は、画像伸張回路１２により全部または一部が伸張された画像データに対して、再度画像圧縮回路３と同様のＤＶ圧縮方式に従った圧縮処理を施しながら、電子透かし情報を所定の位置に多重していく。このときの電子透かし情報を埋め込む位置は、その電子透かし情報がＩＤデータとして持っていた位置の情報や、画像データの冗長度などによって、所定の位置に決められる。
尚、圧縮及び透かし多重化部１３での圧縮処理を行うための構成としては、画像圧縮回路３の一部または全部を利用する構成でもよい。
【００１９】
圧縮及び透かし多重化部１３から出力された画像データは、電子透かし情報を多重化するように画像圧縮回路３及び透かし多重化部１３側に接続されたスイッチ１７ｃを経て、ＤＩＦ１４から端子１５を介してケーブル手段を通じて、外部装置に対して出力される。
【００２０】
ここで、ＤＩＦ１４としては、ＩＥＥＥ１３９４シリアルバス等を用いたものが考えられる。そこで、ＤＩＦ及び家庭用デジタルビデオでのデータ伝送について、以下説明する。
【００２１】
例えば、家庭用デジタルビデオの規格では、ＤＩＦに対して、上記ＩＥＥＥ１３９４シリアルバスの規格に準拠した方式をとるようにしている。
図２は、家庭用デジタルビデオにおけるソースパケットの構成を示したものである。
【００２２】
この図２において、ＤＩＦシーケンス０〜９は、それぞれ磁気テープに記録されていた１トラック分の実データ内容に相当している。ＤＩＦシーケンス０〜９までを１区切りとして、１フレーム分のＤＩＦデータを構成する。
それぞれのシーケンスの”Ｈ０”は、ヘッダーＤＩＦブロックであり、各ＤＩＦシーケンスに１ブロックのみある。”ＳＣｉ”は、サブコードＤＩＦブロックであり、各ＤＩＦシーケンスに２ブロックある。”ＶＡｉ”は、ビデオＡＵＸＤＩＦブロックであり、各ＤＩＦシーケンスに３ブロックある。”Ａｉ”は、オーディオＤＩＦブロックであり、各ＤＩＦシーケンスの内に９ブロックある。”Ｖｉ”は、ビデオＤＩＦブロックであり、各ＤＩＦブロックの内に１３５ブロックある。
【００２３】
尚、ここでのビデオデータは、ＤＶ圧縮された状態にあるものとする。また、ソースパケット数は、６個のＤＩＦブロックを単位に、１つのＤＩＦシーケンスに２５パケット、１フレーム分の１０のＤＩＦシーケンスに総数２５０パケットが存在するものとする。
【００２４】
本実施の形態では、再生した画像データに、再生したサブコードデータのＩＤデータを基に算出した電子透かし情報を埋め込む処理を行っているので、したがって、上記図２でのソースパケットのビデオＤＩＦブロックのうち、電子透かし情報を埋め込むべき所定の部分に電子透かし情報が埋め込まれていることになる。
【００２５】
上記図２に示したＤＩＦデータの伝送について、図３を用いて説明する。
この図３は、家庭用デジタルビデオ（ＤＶＣ）におけるソースパケットを、データバス、すなわちＩＥＥＥ１３９４シリアルバスで伝送するときの様子を示す転送モデルを示したものである。
【００２６】
上記図３において、各ソースパケットについては、上記図２を用いてで説明したように、６個のＤＩＦブロックからできたパケットである。すなわち、ソースパケットの数は、１つのＤＩＦシーケンス中に２５パケット、１フレーム分のＤＩＦデータに２５０パケットが含まれることになる。
【００２７】
また、ＤＶＣでは、ＡＶ（またはＡＶ／Ｃ）プロトコルという、ＩＥＥＥ１３９４シリアルバスにおけるプロトコルを採用している。ＡＶプロトコルでは、ＩＥＥＥ１３９４シリアルバスのアイソクロナスデータ転送を利用したリアルタイムのデータ転送プロトコルと、アイソクロナスデータフロー制御について規定している。ＡＶデータのリアルタイム転送の為、ＡＶプロトコルでは、Ｃｏｍｍｏｎ  Ｉｓｏｃｈｒｏｎｕｓ  Ｐａｃｋｅｔ（ＣＩＰ）が規定されている。これによって、アイソクロナス転送のパケットには，ヘッダとＡＶ（リアルタイム）データの他、ＡＶデータの一部にＣＩＰヘッダが格納されて、転送されることになっている。
【００２８】
上記図３では、ソースパケットにパケットヘッダ（アイソクロナスパケットヘッダ）とＣＩＰヘッダを付け加えて、ＩＥＥＥ１３９４シリアルバス上にバス（アイソクロナス）パケットとして組み込んで、転送していく様子を示している。ここでのサイクル周期、すなわちＩＥＥＥ１３９４シリアルバスでのサイクルは、遅延も発生するが基本的に１２５μｓでサイクルをなし、これを基準にサイクルスタートパケットが発生されることで、各サイクルに分割される。
【００２９】
また、上記図３では、各サイクルにヘッダを付加したソースパケットがアイソクロナスパケットとして格納されて転送されている様子を示している。
実際のＩＥＥＥ１３９４シリアルバス上の転送では、この他アシンクロナス転送や、その他のアイソクロナス転送、または他ノード間どうしのアイソクロナス、アシンクロナス転送なども発生する。
【００３０】
ＤＶＣの規格では、各アイソクロナスパケットは固定長であり、転送すべきデータがある場合、毎サイクル所定パケット長、すなわちパケットヘッダ、ＣＩＰヘッダと１ソースパケット分のデータが転送されることになる。また、送るデータが無いときでも、パケットヘッダとＣＩＰヘッダだけの空パケットが送られる。
パケットヘッダには、ＩＥＥＥ１３９４規格に基づいたデータ長等の各種情報が所定位置に格納され、また、ＣＩＰヘッダには、パケット転送中のデータブロック消失を検知するためのブロックのカウント値や、データコードを示すフラグなどが格納される。
このような伝送形態をもって、ＤＩＦ１４から外部装置へのデータ伝送が実行される。
【００３１】
尚、「ＩＥＥＥ１３９４」の技術、及びそれを用いた場合の本装置での伝送形態については、各実施の形態についての説明の後、最後に、その詳細を説明する。
【００３２】
再び上記図１に戻り、本装置についての説明を続ける。
上述したように、スイッチ１７ａ，１７ｂ，１７ｃは、ユーザの意図により連動して作動するので、必要であれば各スイッチを接続することにより、画像データに電子透かし情報を多重する構成となって、電子透かし情報を多重した画像データが出力され、必要でなければ各スイッチを切り離すことにより、電子透かし情報を多重しない構成となって、画像データのみが出力される。
【００３３】
システムコントローラ８は、ＩＤ発生回路７での電子透かし情報用のＩＤデータの発生、記録処理回路４、再生処理回路１１、ＩＤ／透かし情報変換回路１６、上述したようなスイッチ１７ａ，１７ｂ，１７ｃの連動切り換え、圧縮及び透かし多重部１３、ＤＩＦ１４等をはじめとして、装置内の各部を制御する。また、システムコントローラ８は、ユーザの判断や指示入力が必要なときは、操作部９からの指示に基づいて制御を行う。操作部９からは、各種指示入力の他、ＩＤ発生回路７で発生させる電子透かし情報用のＩＤデータの選択なども行えるようになされている。
尚、本実施の形態では、説明の簡単のために、画像記録再生装置のオーディオに関しては省略するが、このオーディオデータについても、本実施の形態での対象データに含まれることは勿論である。
【００３４】
図４は、本実施の形態での上記図１の装置において、その主要部の構成をわかりやすく示したものである。
ここでは、画像データと電子透かし情報用のＩＤデータを別個に記録することに関して、磁気テープ上の記録領域を分けて、画像データとＩＤデータを別個に記録するものとしている。
上記図４の説明に先立ち、まず、家庭用デジタルビデオにおける磁気テープ上のデータ記録方式について、図５を用いて説明する。
【００３５】
上記図５において、デジタルビデオカセットに記録されるデータに関して、磁気テープ６には、ヘッドの突入側から、ＩＴＩセクタ、オーディオセクタ、ビデオセクタ、それにサブコードセクタが順に記録される形で、トラック２２が形成される。
ＩＴＩセクタには、トラックに関する情報や、スタートシンクに関する情報など、基本的なシステムデータが記録される。オーディオセクタには、セクタＩＤ、オーディオデータ、オーディオＡＵＸデータが記録される。ビデオセクタも同様に、セクタＩＤ、圧縮された画像データ、ビデオＡＵＸデータが記録される。サブコードセクタには、セクタＩＤとタイムコードや、その他、任意のデータからなるサブコードデータが記録される。
【００３６】
したがって、上記図５に示したような記録方式に基づいて、上記図４に示すように、家庭用デジタルビデオの圧縮方式（ＤＶ圧縮方式）で圧縮された画像データをビデオ用領域に、電子透かし情報用のＩＤデータをサブコード領域に記録するものとする。
【００３７】
具体的にはまず、上記図４において、”２１”はＤＶカセット、”２２”は磁気テープ上のトラック、”２３”は入力端子、”２４”は出力端子である。
尚、上記の他の部分については、上記図１と対応部分に同一符号を付すものとする。
【００３８】
そこで、記録時には、ＤＶ圧縮方式によって圧縮された画像データは、入力端子２３から不図示の記録ヘッドによって、ＤＶカセット２１内のテープにトラック２２が描かれながら、トラック２２上のビデオ記録用領域に順次記録される。また、記録する画像データに対応して、所望のタイミングでＩＤ発生回路７から発生された電子透かし情報用のＩＤデータが同様にして、サブコード記録用領域に記録される。
【００３９】
一方、再生時には、不図示の再生ヘッドにより、磁気テープに記録されている画像データ及びＩＤデータが順次再生される。
そして、電子透かし情報を多重する場合には、上述したようなスイッチ制御により、スイッチ１７ｂから画像伸長回路１２に対して、再生画像データが出力され、該再生画像データは、画像伸長回路１２によりその一部または全部が伸張される。
電子透かし情報を多重しない場合には、上記のスイッチ制御により、再生画像データのみがスイッチ１７ｂからスイッチ１７ｃを経て出力端子２４へ至り、外部装置へ出力可能になる。また、再生ＩＤデータは、ＩＤ／透かし情報変換回路１６により、電子透かし情報となって（電子透かし情報化）、スイッチ１７ａがＯＮであるならば、画像圧縮回路３及び透かし多重化部１３により、画像伸張回路１２から出力される画像データに埋め込まれ、再度完全なＤＶ圧縮方式に従った圧縮処理が施された後、出力端子２４からＤＩＦ１４を経由して外部装置に出力される。
【００４０】
尚、上述のような第１の実施の形態における構成であるならば、本発明を適用する装置としては、上記図１に示したような画像記録再生装置（ビデオカメラ等）に限られることはない。
【００４１】
＜第２の実施の形態＞
第２の実施の形態としては、画像データの記録と電子透かし情報用のＩＤデータの記録を、複数の記録媒体に分けて記録する。ここでの記録媒体としては、固体メモリ（ＲＡＭ）や磁気テープ、あるいはディスクとＲＡＭを組み合わせた複数の記録媒体の構成であってもよい。
【００４２】
図６は、第２の実施の形態における画像記録再生装置の構成を示したものである。
この図６において、”６Ａ”は第１の記録媒体、”６Ｂ”は第２の記録媒体である。そして、これらの記録媒体６Ａ及び６Ｂは、例えば、ＲＡＭから構成されている。
尚、上記図６に示した装置において、上記図１に示した装置と同様に動作する箇所には同じ符号を付し、その詳細な説明は省略する。
【００４３】
ここでの画像データの圧縮方式としては、画像記録再生装置がデジタルビデオカメラやデジタルＶＴＲでない場合、家庭用デジタルビデオでの圧縮方式以外にも、動画像であればＭＰＥＧ、静止画像であればＪＰＥＧなども実施可能である。
【００４４】
そこで、使用する圧縮方式をＭＰＥＧとした場合、記録時では、ＭＰＥＧ方式に従って圧縮された画像データは、入力端子２３から入力され、記録媒体６Ａに対して、所定の記録規則に基づいて記録される。また、記録される画像に対して、所望のタイミングでＩＤ発生回路７から発生された電子透かし情報用のＩＤデータが、記録媒体６Ｂに記録されていく。
ここで、記録媒体６Ａと記録媒体６Ｂに対しては、画像データとＩＤデータの記録や読み出しタイミングを一致させるために、時間的な相関が取れるように記録処理及び後述する再生処理が行われるようになされている。
【００４５】
一方、再生時では、記録媒体６Ａに記録されている画像データ、記録媒体６Ｂに記録されているＩＤデータが順次再生される。
そして、電子透かし情報を画像データに多重する場合には、各スイッチ１７ａ，１７ｂ，１７ｃの上述したような制御により、再生された画像データは、スイッチ１７ｂを介して画像伸張回路１２に供給され、この画像伸張回路１２により、ＭＰＥＧ圧縮された上記画像データの一部または全部が伸張される。
また、画像データに電子透かし情報を多重しない場合には、上記のスイッチ制御により、再生された画像データは、スイッチ１７ｂから１７ｃへと至り、出力端子２４からＤＩＦ１４を経て、外部装置に対して出力される。すなわち、外部装置に対して画像データのみが出力可能となる。
【００４６】
また、再生されたＩＤデータは、ＩＤ／透かし情報変換回路１６により、電子透かし情報化される。
そして、電子透かし情報を多重するためにスイッチ１７ａがＯＮであるならば、電子透かし情報化されたＩＤデータ（すなわち、電子透かし情報）は、画像圧縮回路３及び透かし多重化部１３により、画像伸張回路１２から出力される画像データに埋め込まれる。この画像データは、再度完全なＭＰＥＧ方式に従った圧縮処理が施され、その後、出力端子２４からＤＩＦ１４を経由して外部装置に対して出力される。
【００４７】
上述したような第１及び第２の実施の形態での装置動作の流れを表したフローチャートを、図７（ａ）及び（ｂ）に示す。
上記図７（ａ）は記録動作に関してのフローチャートを示したものであり、同図（ｂ）は再生動作に関してのフローチャートを示したものである。
【００４８】
（記録時の動作：上記図７（ａ）参照）
先ず、画像記録再生装置が撮像及び画像記録モードになると（ステップＳ１）、画像撮像系１は、画像の撮像動作を開始し、記録のスタンバイに入る（ステップＳ２）。
次に、電子透かし情報用のＩＤデータをＩＤ発生回路７で発生させる（ステップＳ３）。このとき、ＩＤデータは、その時その時の画像や時間等に応じたリアルタイムな情報に基づいて発せさせられる場合があるので、画像の撮像または記録と並行してリアルタイムに発生させられる。また、ＩＤデータには、その他、時間情報などに加え、ユーザの希望する情報、著作物を示すための情報などを加味されている。
ステップＳ２にて撮像して得られた画像データと、ステップＳ３にて発生されたＩＤデータを、磁気テープ６にそれぞれ別個に記録する（ステップＳ４）。ここでの両データが別個に記録されるとは、同一記録媒体上で記録領域を分割して記録したり、または記録媒体を複数個用いて各々の媒体にデータ毎に記録することである。
ステップＳ４による画像データ及びＩＤデータの記録は、所定単位の画像データの記録が完了するまで、またはユーザの判断等により記録動作を停止するまで継続される。そして、動作停止によって画像データの記録を終了すると、同時にＩＤデータの発生及び記録も終了する。１つの記録が完了すると、続いて撮像／記録モードを続行するか終了するかを判断する（ステップＳ５）。この判断の結果、終了するときは本記録動作を終了し、終了しないときは再度ステップＳ２の画像の撮像まで戻り、以降の処理ステップを繰り返し実行する。
【００４９】
（再生時の動作：上記図７（ｂ）参照）
先ず、画像記録再生装置が記録媒体の再生及び伝送モードに入ると（ステップＳ１１）、ユーザの指示に応じて、所望の画像データ及びそれに付随する位置に記録されている電子透かし情報用のＩＤデータを再生する（ステップＳ１２）。
次に、再生した電子透かし情報用のＩＤデータは、電子透かし情報として該当する画像データに埋め込む（多重する）のに適した形態へと変換される（ＩＤ／透かし情報変換）（ステップＳ１３）。
次に、電子透かし情報を外部装置に伝送する画像データに多重するか否かを判断し（ステップＳ１４）、この判断の結果、電子透かし情報を多重する場合にはステップＳ１５からの処理に進み、そうでない場合にはステップＳ１５及びステップＳ１６をスキップしてステップＳ１７からの処理に進む。このときの判断は、ユーザから入力された指示情報により行う。
【００５０】
ステップＳ１４の判断により、電子透かし情報を多重する場合、画像データの伸張処理を行う（ステップＳ１５）。
ステップＳ１５により全部または一部が伸長された画像データに対して、同一の圧縮方式で再圧縮をかける処理に電子透かし情報を埋め込むよう混在させて、電子透かし情報を埋め込んでいく（ステップＳ１６）。そして、ステップＳ１６にて電子透かし情報が埋め込まれた画像データを外部装置に伝送されるべく、次のステップＳ１７に進む。
【００５１】
ここで、ステップＳ１６において、電子透かし情報を埋め込んでいく場所は、人間の視覚特性に基づき、画像データの冗長部分を中心に、主要部分に多少の透かし情報を埋め込んでいく。埋め込む方法としては、波形や画素などの標本値に電子透かし情報を埋め込んでいく方法や、または、原信号を周波数変換した値に電子透かし情報を埋め込む方法などを用いる。扱う画像データが動画や静止画像であるから、それぞれに適した埋め込み方法を採用する。
【００５２】
一方、ステップＳ１４の判断により、電子透かし情報を画像データに多重しない場合、ステップＳ１５及びステップＳ１６による伸張処理及び埋込処理を実行せずに、再生した圧縮画像データのみをそのまま外部装置へ伝送すべく、そのままステップＳ１７に進む。
【００５３】
ステップＳ１７では、電子透かし情報を多重した画像もしくは多重していない画像を、ＤＩＦ１４を介して、それに接続された外部装置に対して伝送する。
ステップＳ１７での画像データの伝送が終了すると、画像データの再生／伝送モードの終了の判断を行い（ステップＳ１８）、この判断の結果、他の画像データを再生して伝送する場合にはステップＳ１２に戻り、以降の処理ステップを実行する。また、そうでない場合には本再生動作を終了する。
【００５４】
＜第３の実施の形態＞
第３の実施の形態では、記録済みの画像データに対する電子透かし情報用のＩＤデータをアフレコで実施する。
【００５５】
まず、家庭用デジタルビデオでは、画像データが記録済み磁気テープに対して、画像データが記録されている領域（画像記録領域）はいじらず、サブコードが記録されている領域（サブコード領域）のデータのみに再記録作業を行うことによって、サブコードのみのアフレコが可能となる。これを利用して、過去に記録した画像データに対して、サブコード領域に電子透かし情報用のＩＤデータを新たに記録することにより、画像の記録時に電子透かし情報用のＩＤデータを発生させて、記録していなくとも、電子透かし情報用のＩＤデータを得ることができる。
そこで、第３の実施の形態では、上記ののアフレコした電子透かし情報用のＩＤデータを、画像データの外部装置への出力時に電子透かし情報として画像に多重させることを可能にする。
【００５６】
図８は、上述のアフレコを用いた第３の実施の形態での画像記録再生装置の主要部を示したものである。
尚、上記図８の装置において、上記図１及び図４に示した装置と同様に動作する箇所には同じ符号を付し、その詳細な説明は省略する、
【００５７】
上記図８の装置において、ＤＶカセット２１内の磁気テープには、トラック２２の画像記録領域には既に画像データ（ＤＶ圧縮画像データ）が記録されている。また、トラック２２のサブコード領域には、過去に記録したＩＤデータまたは何らかのデータが記録されているか、もしくは無記録の状態であるが、ここにはアフレコとして新たに電子透かし情報用のＩＤデータが記録されることになる。
【００５８】
サブコード領域へのアフレコ動作実行時には、磁気テープに記録してある画像データに対して、連続または一定間隔でなど、所望のタイミング、または所望の画像位置に対応させてＩＤ発生回路７で発生させた、ユーザが希望する著作物情報などからなる電子透かし情報用のＩＤデータを、サブコード記録用領域に不図示の記録ヘッドで記録していく。
【００５９】
また、再生時には、不図示の再生ヘッドにより、磁気テープに記録されている画像データ及びＩＤデータを順次再生する。
そして、電子透かし情報を多重する場合には、上述したようなスイッチ制御により、スイッチ１７ｂから出力された画像データは、画像伸長回路１２に供給され、ここにてその一部または全部が伸張される。
一方、電子透かし情報を多重しない場合には、画像データのみがスイッチ１７ｂからスイッチ１７ｃを経て出力端子２４へと至り、外部装置へ出力可能になる。
また、再生されたＩＤデータは、ＩＤ／透かし情報変換回路１３で電子透かし情報化される。これにより得られた電子透かし情報は、スイッチ１７ｃが電子透かし情報を多重するためにＯＮであるならば、画像圧縮回路３及び透かし多重化部１３により、画像伸張回路１２から出力された画像データに埋め込まれつつ、再度ＤＶ圧縮処理が完全に施された後、出力端子２４からＤＩＦを経由して、外部装置に出力される。
【００６０】
尚、本実施の形態は、磁気テープの領域を分けたときのサブコードのアフレコに限らず、上述した第２の実施の形態のように、複数の記録媒体を用いた構成であっても、電子透かし情報用のＩＤデータのアフレコが可能であれば実施可能である。
【００６１】
図９は、上記図８に示した装置の動作の流れを示したものである。
尚、上記図９のフローチャートは、特に、電子透かし情報用のＩＤデータのアフレコ動作に関したフローチャートであり、画像データ及びＩＤデータの再生、伝送動作に関しては、上記図７（ｂ）に示したフローチャートに従った動作と同様であるため、ここではその詳細な説明は省略する。
【００６２】
先ず、画像記録再生装置は、サブコードのアフレコモードに入る（ステップｓ３１）。ここでのアフレコモードは、サブコードのアフレコとして、既に記録してある画像データに対して、電子透かし情報用のＩＤデータをサブコード領域にアフレコするときのモードである。
次に、所望のタイミング、または所望の画像位置に対応させて、さらには連続または所定時間間隔毎に、ユーザの意図する著作物情報等を盛り込んだ電子透かし情報用のＩＤデータをＩＤ発生回路で発生させる（ステップＳ３２）。
【００６３】
次に、ステップＳ３２にて発生された電子透かし情報用のＩＤデータを記録開始する磁気テープ位置を検索し（ステップＳ３３）、その後、上記のＩＤデータを、磁気テープのサブコード領域にアフレコしていく（ステップＳ３４）。
ステップＳ３４でのＩＤデータのアフレコが任意で位置で終了すると、動作停止によってＩＤデータの記録を終了すると同時に、ＩＤデータの発生も終了する。
【００６４】
上述のようにして、１回のアフレコが完了すると、続けて他の画像位置にＩＤデータをアフレコするために、アフレコモードを続行するか、または終了するかを判断し（ステップＳ３５）、この判断の結果、終了する場合には本動作を終了する。また、そうでない場合には、再度ステップＳ３２に戻り、以降の処理ステップを繰り返し実行する。
【００６５】
＜第４の実施の形態＞
第４の実施の形態では、記録媒体から再生された画像データ（圧縮画像データ）を伸長せずに、ＩＤデータを電子透かし情報として埋め込む埋込側の処理を、次のようにする。
【００６６】
図１０及び図１１は、第４の実施の形態における画像記録再生装置の構成を示したものである。
尚、上記図１０及び図１１の装置において、上記図１及び図４に示した装置と同様に動作する箇所には同じ符号を付し、その詳細な説明は省略する。
【００６７】
上記図１０及び図１１の装置において、透かし多重化部１３’は、磁気テープから再生された圧縮画像データを伸長することなく、該データに対して電子透かし情報を多重する。
すなわち、この透かし多重化部１３’は、上述した圧縮／透かし多重化部１３、すなわち伸長された画像データに対する電子透かし情報の多重化を行う圧縮／透かし多重化部１３とは異なる、圧縮された画像データに対して適した電子透かし情報の多重化の方法を採用している。例えば、既に圧縮された画像データにおいて、目視しにくい高周波成分に電子透かし情報を埋め込む方法を採用している。
【００６８】
図１２は、上記図１０及び図１１に示した装置の再生動作の流れを示したものである。
尚、上記図１２のフローチャートにおいて、上記図７（ｂ）のフローチャートと同様に処理実行するステップは同じ符号を付し、その詳細な説明は省略する。
【００６９】
上記図１２に示すように、ここでの再生動作は、上記図７（ｂ）のフローチャートに従った動作と同様であるが、上記図７（ｂ）でのステップＳ１５の代わりにステップＳ１５’が実行される。
すなわち、ステップＳ１５’では、磁気テープから再生された、圧縮された画像データに対して、伸長処理は行わずに、適した電子透かし情報を埋め込む処理を実行する。
【００７０】
上述のような本実施の形態による構成によれば、圧縮された画像データを伸長することなく、電子透かし情報を埋め込むようにしているので、より簡単な装置構成とすることができる。
【００７１】
尚、上述したような第４の実施の形態は、上述した第２及び第３の実施の形態にも適用可能である。この場合、第２及び第３の実施の形態における装置（上記図６及び図８参照）は、例えば、図１３及び図１４に示すような構成となる。
【００７２】
＜第５の実施の形態＞
上述した第１〜第４の実施の形態では、記録媒体として磁気テープを用いるようにした。
第５の実施の形態では、記録媒体として、例えば、ディスク状の記録媒体（ディスク媒体）を用いるようにする。
尚、ここでは、一例として、第４の実施の形態における装置（上記図１０参照）において、記録媒体としてディスク媒体を用いた場合について説明する。
【００７３】
図１５は、第５の実施の形態における画像記録再生装置の構成を示したものである。
尚、上記図１５の装置において、上記図１０に示した装置と同様に動作する箇所には同じ符号を付し、その詳細な説明は省略する。
【００７４】
上記図１５の装置では、記録媒体６１が記録可能なディスク媒体により構成されている。このディスク媒体６１に対して、画像データが、電子透かし情報用のＩＤデータと共に、個別に異なる領域に記録されることになる。
具体的には例えば、ディスク媒体６１の断面は、図１６に示すように、各データ毎に記録領域が分けられた構造となっており、それぞれの記録領域は、内周側から順に、ＬＥＡＤＩＮ７１、システム・サブデータ記録領域７３、画像記録領域（メイン領域）７４、ＬＥＡＤＯＵＴ７２となっている。
そこで、電子透かし情報用のＩＤデータを、システム・サブデータ記録領域７３に記録することで、上述した各実施の形態での磁気テープに記録する構成と同様の効果が得られ、本実施の形態が実現できる。
【００７５】
尚、記録媒体として用いるディスク媒体は、上記図１６に示したような、円周で記録領域が分割されたものに限らず、例えば、円周方向に画像データとＩＤデータを分割して記録されるようになされたものであってもよい。
【００７６】
また、ここでの電子透かし情報用のＩＤデータとしては、次のような各種情報を用いることができる。
【００７７】
例えば、撮影時の情報としては、シャッタ速度、ズーム、絞り、ＡＥ、ＡＷＢ値等のカメラパラメータ、撮影時の時間情報、または、ユーザの任意入力による撮影場所の地理情報、キャラクタ画像や個人情報等のユーザの著作物であることを示す情報等が考えられる。これらの撮影情報を、単独で、または組み合わせて、電子透かし情報用のＩＤデータとして構成することが可能である。
【００７８】
このため、上記図１５の装置における記録側の構成を、例えば、図１７に示すような構成とする。
すなわち、上記図１５の記録側の構成に加えて、画像撮像系１での各種パラメータを検出してデータ化する撮像パラメータ検出部６２と、本装置に内蔵されたカレンダー機能部６３と、地理情報、個人情報、キャラクタ画像等、電子透かし情報としてユーザの希望する画像データやプログラムデータ等を保持するためのメモリ６４を含む構成し、このような構成によって得られた各種情報を、ＩＤデータに用いるようにする。このとき、操作部９での操作により、ユーザによるあらゆるパターンでの情報選択が可能となっている。
【００７９】
＜「ＩＥＥＥ１３９４」の技術＞
先に説明した通り、上述した各実施の形態におけるＤＩＦ１４としては、ＩＥＥＥ１３９４シリアルバス等を用いたものが考えられ、家庭用デジタルビデオの規格では、ＤＩＦ１４に対して、ＩＥＥＥ１３９４シリアルバスの規格に準拠した方式をとるようにしている。
以下、ＩＥＥＥ１３９４シリアルバスの技術の概要について説明する。
【００８０】
図１８は、ＩＥＥＥ１３９４シリアルバス（以下、単に「１３９４シリアルバス」とも言う）を用いて構成されるネットワーク・システムの例を示す。
【００８１】
このシステムは、機器（以下、「ノード」とも言う）Ａ、Ｂ、Ｃ、Ｄ、Ｅ、Ｆ、Ｇ、及びＨを備えており、Ａ−Ｂ間、Ａ−Ｃ間、Ｂ−Ｄ間、Ｄ−Ｅ間、Ｃ−Ｆ間、Ｃ−Ｇ間、及びＣ−Ｈ間が各々１３９４シリアルバス用のツイスト・ペア・ケーブルで接続されている。これらの機器Ａ〜Ｈの一例としては、パソコン（ＰＣ）等のホストコンピュータ装置及びコンピュータ周辺機器である。
コンピュータ周辺機器としては、デジタルＶＣＲ、ＤＶＤプレーヤ、デジタルスチルカメラ、ハードディスクや光ディスク等のメディアを用いる記憶装置、ＣＲＴやＬＣＤのモニタ、チューナ、イメージスキャナ、フィルムスキャナ、プリンタ、ＭＯＤＥＭ、ターミナルアダプタ（ＴＡ）等、コンピュータ周辺機器の全てが対象になる。
【００８２】
各機器間の接続は、ディジーチェーン方式とノード分岐方式との混在が可能であり、自由度の高い接続を行うことができる。
また、各機器は、各々自固有のＩＤを有し、互いにＩＤを認識し合うことによって、１３９４シリアルバスで接続された範囲において、１つのネットワークを構成している。
例えば、機器間を各々１本の１３９４シリアルバス用ケーブルでディジーチェーン接続するだけで、各々の機器が中継の役割を担うので、全体として１つのネットワークを構成することができる。
【００８３】
また、１３９４シリアルバスは、Plug and Play 機能に対応し、ケーブルを機器に接続するだけで自動的に機器を認識し、接続状況を認識する機能を有している。これは、１３９４シリアルバスの特徴でもある。
【００８４】
また、上記図１８に示したシステムにおいて、ネットワークからある機器が外されたり、又は、新たに加えられたとき等、自動的にバスをリセット（それまでのナットワークの構成情報をリセット）して、新たなネットワークを再構築する。この機能によって、その時々のネットワークの構成を常時設定、認識することができる。
【００８５】
また、１３９４シリアルバスのデータ転送速度は、１００／２００／４００Ｍｂｐｓが定義されており、上位の転送速度を持つ機器が下位の転送速度をサポートすることで、互換性が保たれている。
【００８６】
データ転送モードとしては、コントロール信号等の非同期データを転送するアシンクロナス（Asynchronous）転送モードと、同期データを転送するアイソクロナス（Isochronous ）転送モードがある。アイソクロナス転送モードは、特に、ビデオ、オーディオ等のリアルタイムデータの転送に適している。
非同期データと同期データはそれぞれ、各サイクル（通常１２５μS ／サイクル）の中で、サイクル開始を示すサイクル・スタート・パケット（ＣＳＰ）の転送に続き、同期データの転送を優先しつつ、サイクル内で混在して転送される。
【００８７】
ここで、実際に、１３９４シリアルバスにおいては、アイソクロナス転送とアシンクロナス転送が混在できる。この時のバス上の転送状態の時間的な遷移の様子を表すのが図１９である。
【００８８】
そこで、まず、アイソクロナス転送はアシンクロナス転送より優先して実行される。その理由は、ＣＳＰの後、アシンクロナス転送を起動するために必要なアイドル期間のギャップ長（サブアクションギャップ）よりも短いギャップ長（アイソクロナスギャップ）で、アイソクロナス転送を起動できるからである。したがって、アシンクロナス転送より、アイソクロナス転送は優先して実行されることとなる。
【００８９】
上記図１９に示す一般的なバスサイクルにおいて、サイクル＃ｍのスタート時にＣＳＰがサイクル・マスタから各ノードに転送される。このＣＳＰによって、各ノードの動作が同期され、所定のアイドル期間（アイソクロナスギャップ）を待ってからアイソクロナス転送を行おうとするノードはバスアービトレーションに参加し、パケット転送に入る。上記図１６では、各アイソクロナスデータを分別するチャネル単位で、チャネルｅ（ｃｈｅ）、チャネルｓ（ｃｈｃ）、及びチャネルｋ（ｃｈｋ）が順にアイソクロナス転送されている。
このバスアービトレーションからパケット転送までの動作を、与えられているチャネル分繰り返し行い、サイクル＃ｍにおけるアイソクロナス転送がすべて終了すると、アシンクロナス転送を行うことができるようになる。つまり、アイドル時間が、アシンクロナス転送が可能なサブアクションギャップに達することによって、アシンクロナス転送を行いたいノードはバスアービトレーションに参加する。
ただし、アシンクロナス転送が行える期間は、アイソクロナス転送終了後から、次のＣＳＰを転送すべき時間（サイクル周期）までの間に、アシンクロナス転送を起動するためのサブアクションギャップが得られた場合に限られる。
【００９０】
上記図１９に示すサイクル＃ｍでは、３つのチャネル分のアイソクロナス転送の後、アシンクロナス転送により、ａｃｋを含む２パケット（アシンクロナスパケット１、２）が転送されている。アシンクロナスパケット２の後は、サイクルｍ＋１をスタートすべき時間（サイクル周期）にいたるので、サイクル＃ｍにおける転送はこれで終わる。
ただし、非同期又は同期転送中に、次のＣＳＰを送信すべき時間（サイクル周期）に至ったとしたら、転送を無理に中断せずに、その転送が終了した後のアイドル期間を待ってから、次サイクルのＣＳＰを送信する。すなわち、１つのサイクルが１２５μS 以上続いたときは、その延長分、次サイクルは基準の１２５μS より短縮されたとする。このようにアイソクロナス・サイクルは、１２５μS を基準に超過、短縮し得るものである。
【００９１】
しかしながら、アイソクロナス転送はリアルタイム転送を維持するために、必要であれば、毎サイクル実行され、アシンクロナス転送はサイクル時間が短縮されたことによって次以降のサイクルに延期されることもある。
【００９２】
上述のようなＩＥＥＥ１３９４シリアルバスを、上述した第１〜第５の実施の形態における装置に適用した場合、該装置の伝送形態については次のようになる。
【００９３】
まず、上述した第１〜第５の実施の形態では、動画像（または静止画像でも可能）を記録再生及び伝送する装置を実現するものとしたが、ここでは、該装置において、その他の伝送形態として、動画データと電子透かし情報を多重した別画像の時分割多重伝送形態を用いた場合、すなわち別画像として、動画データと混在して記録されている静止画データ、または動画データの一部（１フレーム等）から生成した静止画データを伝送する場合について説明する。
【００９４】
図２０は、ＩＥＥＥ１３９４での伝送形式に従った伝送形態（ＩＥＥＥ１３９４シリアルバスを伝送路として用いた場合の伝送形態）を示したものである。
ここで、上記図１９を用いて説明したように、上記図２０に示す伝送形態では、サイクル周期及びサイクルスタートパケット（ＣＳＰ）が存在し、これに加えて、アイソクロナス転送としてアイソクロナスパケットを構成する動画データと、アシンクロナス転送としてアシンクロナスパケットを構成する電子透かし情報を多重した静止画データとが存在している。
【００９５】
上述のような伝送形態では、先ず、連続して再生される動画データを、アイソクロナス転送にて他ノードに伝送し、且つ適宜発生しうる電子透かし情報を多重すべき静止画データに対して、上述したような各実施の形態における多重化方法によって多重し、それを動画データと並行して、バス（ＩＥＥＥ１３９４シリアルバス）上に時分割多重で伝送する。
ここでの電子透かし情報を多重すべき静止画データとは、上述した各実施の形態での、電子透かし情報用のＩＤデータが多重されている画像データに対応している。これにより、電子透かし情報を埋め込む対象となるデータとしては、静止画データに限らず、動画データであってもよく、したがって、電子透かし情報を多重した画像データと、通常再生した動画データとの時分割多重伝送が実現できる。
このように、本発明は、より一層装置の応用範囲を広げた、電子透かし情報を多重した画像データの生成と伝送が可能となる。
【００９６】
以上説明した各実施の形態によれば、ユーザがマスターとして保持する記録画像には電子透かし情報を埋め込まず、画像の外部出力の際に、該画像に対して電子透かし情報を多重することができる。これにより、高画質な原画像の保持が可能となり、且つ出力画像には電子透かしがかけられる効果があるので、著作権保護の技術としても有効である。
また、ユーザの判断によって、画像に電子透かし情報を多重するか否かを選択できるため、電子透かしの有効的な活用ができる。
【００９７】
また、画像データと、電子透かし情報用のＩＤデータとを個別に記録媒体に記録することによって、ＩＤデータのみのアフレコが可能になり、所望の画像位置に対するＩＤデータの追加記録や、以前に記録したＩＤデータの差し替えが可能となり、したがって、出力する画像に埋め込む電子透かし情報にも変化を持たせることができる。
【００９８】
また、伝送方式を分けた複数種類の画像伝送を可能とすることで、動画像の通常伝送と並行して、コピーされやすい静止画像に電子透かし情報を多重して出力させる等、より広範囲に使い勝手が向上する。
【００９９】
尚、上述した各実施の形態における電子透かし情報を得る方法としては、次のような方法も適用可能である。
著作権コード等の特定情報を、目視認識しにくい情報としての電子透かし情報に変換し、それを画像データ中に重畳（多重）する方法として、上述した方法の他に、画像をプリント出力等する際に、例えば、薄いＹ（イエロー）のドットを特定情報に応じて画像データ中に混入させる方法がある。また、濃淡のドットを形成しないで２値のドットを用いるプリンタ等を使用する場合は、例えば、Ｙのドットを特定情報の「１」、「０」に応じて、奇数ドット又は偶数ドットだけずらせるという方法がある。これらの方法の他にも、画像データを特定情報に応じて周波数変調する等の方法がある。
このようなそれぞれの方法は、特開平５−３０１３８０号公報、特開平６−８６０４９号公報等に開示されている。
【０１００】
また、上述した各実施の形態における装置が有する機能は、ハード的に構成してもよく、例えば、ＣＰＵやメモリ等から成るマイクロコンピュータシステムで構成してもよい。マイクロコンピュータシステムに構成する場合、上記メモリは本発明による記憶媒体を構成する。この記憶媒体には、上記図７（ａ）及び（ｂ）、図９、図１２のフローチャートで示したような上述した処理を実行するためのプログラムが記憶される。
すなわち、本発明の目的は、上述した各実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が各実施の形態の機能を実現することとなり、そのプログラムコードを記憶した記憶媒体は本発明を構成することとなる。
プログラムコードを供給するための記憶媒体としては、ＲＯＭ、フロッピーディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、各実施の形態の機能が実現されるだけでなく、そのプログラムコードの指示に基づき、コンピュータ上で稼動しているＯＳ等が実際の処理の一部又は全部を行い、その処理によって各実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって各実施の形態の機能が実現される場合も含まれることは言うまでもない。
【０１０１】
【発明の効果】
以上説明したように、本発明によれば、画像データを特定するための特定情報に基づく電子透かし情報が埋め込まれた再生画像データ、又は上記電子透かし情報が埋め込まれていない再生画像データを、使用者の操作に応じて選択的に出力できるようになる。したがって、使用者の目的に応じた画像データを得ることができる。
【図面の簡単な説明】
【図１】第１の実施の形態において、本発明を適用した画像記録再生装置の構成を示すブロック図である。
【図２】家庭用デジタルビデオにおけるソースパケットを説明するための図である。
【図３】上記ソースパケットの転送モデルを説明するための図である。
【図４】上記画像記録再生装置の主要部の構成を示すブロック図である。
【図５】上記家庭用デジタルビデオにおける磁気テープ上の各種データの記録状態を説明するための図である。
【図６】第２の実施の形態における上記画像記録再生装置の主要部の構成を示すブロック図である。
【図７】上記第１及び第２の実施の形態における上記画像記録再生装置の動作を説明するためのフローチャートである。
【図８】第３の実施の形態に上記画像記録再生装置の主要部の構成を示すブロック図である。
【図９】上記画像記録再生装置におけるアフレコ動作を説明するためのフローチャートである。
【図１０】第４の実施の形態における上記画像記録再生装置の構成を示すブロック図である。
【図１１】上記画像記録再生装置の主要部の構成を示すブロック図である。
【図１２】上記画像記録再生装置における再生動作を説明するためのフローチャートである。
【図１３】上記第４の実施の形態を上記第２の実施の形態での上記画像記録再生装置に適用した場合の構成を示すブロック図である。
【図１４】上記第４の実施の形態を上記第３の実施の形態での上記画像記録再生装置に適用した場合の構成を示すブロック図である。
【図１５】第５の実施の形態における上記画像記録再生装置の構成を示すブロック図である。
【図１６】上記画像記録再生装置での記録媒体の記録領域について説明するための図である。
【図１７】上記画像記録再生装置の記録側の構成を示すブロック図である。
【図１８】ＩＥＥＥ１３９４を説明するための図である。
【図１９】上記ＩＥＥＥ１３９４での伝送形態を説明するための図である。
【図２０】上記第１〜第５の実施の形態における上記画像記録再生装置において、ディジタルインターフェイスにＩＥＥＥ１３９４を用いたときの伝送形態を説明するための図である。
【符号の説明】
６    磁気テープ
６Ａ  第１の記録媒体
６Ｂ  第２の記録媒体
７    ＩＤ発生回路
８    システムコントローラ
１２  画像伸張回路
１３  透かし情報多重化部
１４  デジタルインターフェイス（ＤＩＦ）
１６  ＩＤ／透かし情報変換回路
１７ａ，１７ｂ，１７ｃ  連動スイッチ
２２  トラック
【図１】
0004109782.tif 000002
【図２】
0004109782.tif 000003
【図３】
0004109782.tif 000004
【図４】
0004109782.tif 000005
【図５】
0004109782.tif 000006
【図６】
0004109782.tif 000007
【図７】
0004109782.tif 000008
【図８】
0004109782.tif 000009
【図９】
0004109782.tif 000010
【図１０】
0004109782.tif 000011
【図１１】
0004109782.tif 000012
【図１２】
0004109782.tif 000013
【図１３】
0004109782.tif 000014
【図１４】
0004109782.tif 000015
【図１５】
0004109782.tif 000016
【図１６】
0004109782.tif 000017
【図１７】
0004109782.tif 000018
【図１８】
0004109782.tif 000019
【図１９】
0004109782.tif 000020
【図２０】
0004109782.tif 000021